(57)【要約】      （修正有）【課題】設置が簡単で汎用性があり、設置者による扉の開閉が比較的簡単に行える魚礁の密漁防止覆い体を提供する。【解決手段】目的の魚礁全体又は育成する水棲生物が生息する魚礁の部分を覆う大きさで、その一部に上開きの扉３を有する出入り口４が設けられた、金属製の格子状の部材から成る覆い体２であって、覆い体の格子の隙間は、人間の拳が入り込めない大きさであり、扉が、人力では開けることができない重さである。【選択図】図１
0003224948.tif 000002
【実用新案登録請求の範囲】
【請求項１】
目的の魚礁全体又は育成する水棲生物が生息する魚礁の部分を覆う大きさで、その一部に上開きの扉を有する出入り口が設けられた、金属製の格子状の部材から成る覆い体であって、前記覆い体の格子の隙間は、人間の拳が入り込めない大きさであり、前記扉が、人力では開けることができない重さである魚礁の密漁防止装置。
【請求項２】
前記覆い体の格子の隙間は、人間の拳が入り込めない大きさが、５ｃｍである請求項１記載の魚礁の密漁防止装置。
【請求項３】
前記扉が、人力では開くことができない重さが、水中で５００ｋｇの重さである請求項１記載の魚礁の密漁防止装置。
【考案の詳細な説明】
【技術分野】
【０００１】
本考案は、各種魚礁における密漁を防止するための防止装置に関する。
【背景技術】
【０００２】
近年、天然資源の枯渇が問題となり、有用水産生物についても繁殖や生育しやすい環境を人工的に作り上げて保護をすることが行われている。そして、増殖目的の水棲生物に適した人工魚礁も数多く開発され、その一部は実用化されている。
【０００３】
しかし、係る人工魚礁は目的の水棲生物の生息域の関係から比較的陸地に近い沿岸部に設置されることが多く、イセエビなどの甲殻類やアワビやウニなど動きが鈍い生物は素潜りでも簡単に捕獲でき、密漁されてしまうという問題があった。
【０００４】
このような密漁被害を防ぐため、重たい蓋を使用して密漁を防止し、蓋の開閉に空気の浮力を利用した増殖礁が提案されている（特許文献１）。しかし、蓋体は、内部に立設した柱体に遊通された構造であり、増殖礁と一体的な装置であり汎用的に使えるものではなかった。
【０００５】
また、アワビなどの増殖用で、蓋体に錠をかけて密漁を防止するもの（特許文献２）も提案されているが、鍵の内部に小型の貝類や藻などが繁殖しないよう特殊な加工が必要であった。
【０００６】
さらに、古漁船を反転させ内部に空気を入れ、全体を魚網で覆うことによって密漁を防止すること（特許文献３）も提案されているが、裾の隙間からダイバーが入り込まないように確実にふさがれるので、設置者も簡単に作業できないという問題があった。
【先行技術文献】
【特許文献】
【０００７】
【特許文献１】実開平０２−０２３４６３号公報
【特許文献２】実登３１６２６５２号公報
【特許文献３】特開平０７−２９８８０５号公報
【考案の概要】
【考案が解決しようとする課題】
【０００８】
本考案の目的は、設置が簡単で汎用性があり、扉の開閉が比較的簡単に行える密漁防止装置を提供することである。
【課題を解決するための手段】
【０００９】
本考案者らは、目的の魚礁を覆う大きさの、金属製の格子状の覆い体であれば、設置はクレーンなどで簡単に行え、覆い体の内部に収納できれば、あらゆる既存の魚礁に適用できる。また、魚礁がまだ地上に仮置きされている場合は、前記覆い体を直接適宜の方法で固定すれば、覆い体付きの魚礁を海中の適宜な場所に設置することができる。さらに、覆い体の一部の出入り口の扉も金属製として重くすれば、密漁者が簡単に扉を開くことができず、扉を上開きにすれば、クレーンで持ち上げたり、水中内で膨張させることが可能な浮袋などの補助手段を使うことにより、設置者は、比較的簡単に扉を開閉することが可能であると思い至り、本考案に至ったものである。
【００１０】
したがって、本考案の実施態様は以下のとおりである。
（１）目的の魚礁全体又は育成する水棲生物が棲属する魚礁の部分を覆う大きさで、その一部に上開きの扉を有する出入り口が設けられた、金属製の格子状の部材から成る覆い体であって、前記覆い体の格子の隙間は、人間の拳が入り込めない大きさであり、前記扉が人力では開けることができない重さである魚礁の密漁防止装置。
（２）前記覆い体の格子の隙間は、人間の拳が入り込めない大きさが,５ｃｍ以下である（１）の魚礁の密漁防止装置。
（３）前記扉が、人力では開くことができない重さが、５００ｋｇ以上である（１）の魚礁の密漁防止装置。
【００１１】
本考案における覆い体は、目的とする魚礁がすっぽり覆われるような形状でもよく、その場合、半球状、柱状、矩形状であって、底面が解放された形状である。底面が解放されているので、既存のその特定の場所だけを魚礁の上方からクレーンなどで吊り下げるだけで設置できる。
また、魚礁における目的生物が生息する場所が特定されている場合、特定の場所のみ覆い体で覆ってもよい。魚礁がまだ地上に仮置きされている場合は、溶接などの固定手段が使えるので簡単に覆い体を魚礁の特定場所に取り付けることが可能である。
【００１２】
本考案における覆い体の格子の隙間は、人間の拳が入り込めない大きさである必要があり、５ｃｍ以下にすればよい。なお、覆い体が十分大きく、腕が入り込んでも魚礁に届かなければ、腕が入り込む大きさであっても構わない。また、近くに魚礁で増殖する水棲生物の天敵が生息する場合、その天敵が入り込めない大きさにすることが好ましい。
【００１３】
出入り口の扉は、通常の人間では開くことができない重さであり、動かすのに水中で５００ｋｇ以上の力が必要な重量である必要がある。この重さが確保できれば、本体と同じ格子状であっても板状であってもかまわない。また、扉を上開きとすることにより魚礁の設置者は、クレーンを利用したり、浮袋などの補助器具を利用することにより比較的簡単に開閉が可能となる。
【考案の効果】
【００１４】
本考案の魚礁の密漁防止装置によれば、設置が簡単で汎用性があり、設置者による扉の開閉が比較的簡単に行える。
【図面の簡単な説明】
【００１５】
【図１】既存の魚礁に覆い体を設置する例を示す
【図２】コンクリート製の魚礁の製作時に、鉄製の覆い体を取り付ける例を示す
【考案を実施するための形態】
【００１６】
以下、本考案の実施例を説明するが、本考案はこれらの実施例に限定されるものではない。
【実施例１】
【００１７】
既存の魚礁に、本考案の密漁防止装置を設置する場合の例を図１に示す。まず、図１（１）に示されるように、地上で既存の魚礁をすっぽり覆うことができる大きさの覆い体２を、通水性のある格子部材で製作する。この覆い体の側面あるいは頂部に上向きに開く扉３を有する開口４を設ける。
【００１８】
開口４の大きさは、魚礁の設置者が作業を行えるだけの大きさとする。また、この開口の扉３は鉄製とし、水中で、人間の力では簡単に開くことができない５００ｋｇ以上の重さとした。さらに格子部の隙間の寸法は、水棲生物の幼生や餌は通過するが、成長した水棲生物やその天敵又は人間の拳が入り込めない大きさである５ｃｍ以下とした。
完成した密漁防止装置は、図１（２）に示されるように、覆い体２の上面に設けられたフック５を利用し、クレーンで吊り上げ、クレーン船１などで既存の魚礁１０の設置場所まで移送し、クレーンで吊り下げ、既存の魚礁１０が覆われるように設置する。
【実施例２】
【００１９】
魚礁の製作時に、本考案の密漁防止装置を設置する場合の例を図２に示す。図１（１）の魚礁１０は、コンクリート製の台形の形状をしており、側面に生息あるいは滞在を目的とする水棲生物が潜り込む孔１６が形成されている。
【００２０】
このような魚礁に本考案の密漁防止装置を設置する場合、実施例1のように魚礁をすっぽり覆うことができる大きさの覆い体をあらかじめ魚礁と一体的に固定してもよいが、ここでは、水棲生物が生息する部分のみ、すなわち、前記水棲生物が潜り込む孔１６の周辺を、本考案の密漁防止装置で覆う例を図２に示す。
【００２１】
まず、魚礁に本考案の密漁防止装置の覆体を固定するための枠体１１を金属製のアングル材で作成し、図２（１）、（２）に示されるように、前記魚礁を上下から挟むように頂部と底部に嵌める。次いで、前記水棲生物が潜り込む孔が形成された部分を覆う覆い体１２を作成し、図２（２）の１５の部分でこれを前記枠体に溶接などの手段により固定すればよい。完成した魚礁を図２（３）に示す。この場合には各覆い体１２に扉１３を有する開口１４が設けられている。
このように、予め魚礁の一部に本考案の密漁防止装置を取り付けた場合、魚礁と本考案の密漁防止装置が一体化した魚礁を、クレーンなどを利用して、水中の適宜位置に裁置することができる。
【図１】
0003224948.tif 000003
【図２】
0003224948.tif 000004
【手続補正書】
【提出日】令和1年11月22日(2019.11.22)
【手続補正１】
【補正対象書類名】実用新案登録請求の範囲
【補正対象項目名】全文
【補正方法】変更
【補正の内容】
【実用新案登録請求の範囲】
【請求項１】
目的の魚礁全体又は育成する水棲生物が生息する魚礁の部分を覆う大きさで、その一部に上開きの扉を有する出入り口が設けられた、金属製の格子状の部材から成る覆い体であって、前記覆い体の格子の隙間は、人間の拳が入り込めない大きさであり、前記扉が、人力では開けることができない重さである魚礁の密漁防止覆い体。
【請求項２】
前記覆い体の格子の隙間は、人間の拳が入り込めない大きさが、５ｃｍである請求項１記載の魚礁の密漁防止覆い体。
【請求項３】
前記扉が、人力では開くことができない重さが、水中で５００ｋｇの重さである請求項１記載の魚礁の密漁防止覆い体。